(57)【要約】【課題】椅子に座って仏事を執り行う際に使用可能であり、しかも収納スペースの問題を解決した経机用の収納箱を提供する。【解決手段】内部に正座用経机を丁度収納する空間を有する直方体の箱であって、背面板が開閉可能となっており、天井板の上面に正座用経机２０の足の位置を決め、ズリ落ちないようにするための縁が設けられている。経机２０を使用しない場合は、経机２０を本経机用収納箱１０の内部に収納しておく。経机２０を椅子３０で使用する際は、経机２０を収納箱１０の中から取り出し、収納箱１０の上部に載置する。【選択図】図７
0003120368.tif 000002
【実用新案登録請求の範囲】
【請求項１】
内部に正座用経机を丁度収納する空間を有する直方体の箱であって、背面板が開閉可能となっており、天井板の上面に正座用経机の足の位置を決め、ズリ落ちないようにするための縁が設けられていることを特徴とする経机用収納箱。
【請求項２】
上記縁の範囲内となるような箇所であって本体の下面に高さ3cm以上の脚を設けることにより下部につま先を入れるための空間を設けた請求項１に記載の経机用収納箱。
【請求項３】
背面板が上下にスライドすることにより開閉可能となっている請求項１又は２に記載の経机用収納箱。
【考案の詳細な説明】
【技術分野】
【０００１】
本考案は、仏教寺院や一般家庭等で用いる経机（和讃卓(わさんじょう)とも言う）を収納及び載置する箱に関する。
【背景技術】
【０００２】
仏教寺院の本堂や一般家庭の仏壇の前で仏事を執り行う際には、教典や香炉を載置する経机が用いられる。
【０００３】
従来、仏事を執り行う際には、僧侶や礼拝者は仏像や仏壇の前で正座するため、経机はその姿勢に合わせた高さ（およそ30cm程度）となるように作製されていた。以下、この従来型の低い経机を正座用経机と呼ぶ。
【考案の開示】
【考案が解決しようとする課題】
【０００４】
高齢者や足が不自由な人は、長時間正座をすることが困難な場合がある。そのため、最近では、椅子に座って仏事を執り行うことが多くなってきた。そのための、脚を長くし、台を高くした（60〜80cm程度）経机も製造されている。以下、この高い経机を椅子用経机と呼ぶ。
【０００５】
大きな仏教寺院では、本堂において多数の僧侶が一堂に会して仏事を行うことがあり、そのために、経机は多数用意されている。従来の、台の低い経机であれば、多数あっても収納場所には困らないが、上記のような台の高い経机の場合、その数が多くなると収納場所に困難が生ずる。
【０００６】
また、一般家庭においても、通常は１台しかないものの、収納場所に困るという点に関しては同じである。
【０００７】
本考案が解決しようとする課題は、椅子に座って仏事を執り行う際に使用可能であり、しかも収納スペースの問題を解決した経机用の収納箱を提供するものである。
【課題を解決するための手段】
【０００８】
上記課題を解決するために成された本考案に係る経机用収納箱は、内部に正座用経机を丁度収納する空間を有する直方体の箱であって、背面板が開閉可能となっており、天井板の上面に正座用経机の足の位置を決め、ズリ落ちないようにするための縁が設けられていることを特徴とする。
【０００９】
なお、上記縁の範囲内となるような箇所であって本体の下面に高さ3cm以上の脚を設け、下部につま先を入れるための空間を設けると、椅子に座った時に足元が窮屈とならなくて好ましい。また、本経机用収納箱同士を上下に積み重ねたときに、上下段が相互にずれることなくきれいに積み重ねることができるとともに、ずり落ちが防止される。
【００１０】
また、背面板は、上下スライドすることにより開閉するようにしておくと便利である。
【考案の効果】
【００１１】
本考案に係る経机用収納箱は、その上に正座用経机を載置することにより、経机の台面の高さが倍以上となり、椅子に座った状態で丁度良い高さとなる。従って、椅子用経机を新たに購入することなく、従来よりある正座用経机を椅子に座った状態で使用することができるようになる。もちろん、収納箱を使用しなければ、従来通り、正座用経机をそのまま正座した状態で使用することができる。
【００１２】
そして、正座用経机を使用しないときは、それを内部に収納することができるため、椅子用経机の場合と比較すると収納空間が約半分で済む。また、収納時の見栄えもよく、経机に埃が溜まらないため長期間収納しておいても経机の美麗な外観をそのまま保持することができる。
【００１３】
本考案に係る経机用収納箱は、既に各寺院・各戸が所有する（正座用）経机をそのまま椅子用経机としても利用することができるため、経済的である。もちろん、新規に経机と一緒に製造・購入することも可能であり、その場合には、両者の外観及び外部の装飾を調和させておくことにより、より違和感のない使用が可能となる。特に、寺院等の内陣における使用を考慮した場合には、このような両者の調和のとれたデザインもさることながら、周囲の雰囲気との調和のとれたデザインも可能であるという点で、好ましい。
【考案を実施するための最良の形態】
【００１４】
本考案の一実施形態である経机用収納箱を図１〜図７により説明する。図１、図２、図３、図４は本実施形態の経机用収納箱のそれぞれ正面図、側面図、背面図、平面図である。これらの図から明らかなように、本実施例の経机収納箱１０は全体として直方体である。正面（図１）及び側面（図２）の中央よりやや上には上下を隔てる横桟１１が設けられ、その上部には飾り窓１２が設けられている。正面中央には宗派の紋１３が付着される。背面（図３）は全面が蓋１４となっており、図５に示すように、それを引き上げることにより内部空間を開く。内部空間は、経机２０が丁度収納できる大きさとなっている。本体の下面の四隅（ただし、後述の縁１６の範囲内の箇所）には、高さ5cm程度の脚１５が設けられている。これにより本体の下には高さ5cmの隙間が形成され、使用者がこの経机用収納箱を前に椅子に座った時に足のつま先を入れることができる。
【００１５】
経机２０を使用する際は、図６に示すように、経机用収納箱１０の上に経机２０を載置する。図４に示すように、経机用収納箱１０上部の周囲には高さ5〜10mm程度の縁１６が設けられており、経机２０の脚をこの縁１６に当接することにより、経机２０はこの経机用収納箱１０の上面で位置決めされ、常に同じ位置に置くことができるようになるとともに、経机２０が経机用収納箱１０の上部から滑り落ちることが防止される。こうすることにより、図７に示すように、椅子３０に座った状態で経机２０の上面が丁度良い高さとなり、椅子に座った状態での法要を執り行うことができるようになる。なお、この経机用収納箱は、その上に経机を置くのではなく、それ自身を焼香台として使用することもできる。
【００１６】
経机２０を使用しないときは図５に示すように経机用収納箱１０の中に経机２０を収納することにより全体がコンパクトとなり、収納場所を大きく節約することができるのであるが、こうして内部に経机２０を収納した経机用収納箱１０同士を積み重ねることにより収納効率が更に高まる。大人が自力で積み重ねる場合、ほぼ４段まで積み重ねることが可能である。なお、このように経机用収納箱１０同士を積み重ねる場合も、その脚１５が上面の縁１６の範囲内に入るため、上下段が相互にずれることなくきれいに積み重ねることができるとともに、ずり落ちが防止される。
【図面の簡単な説明】
【００１７】
【図１】本考案の一実施形態である経机用収納箱の正面図。
【図２】上記経机用収納箱の側面図。
【図３】上記経机用収納箱の背面図。
【図４】上記経机用収納箱の平面図。
【図５】上記経机用収納箱の背面の蓋を引き上げ、中に経机を収納した状態の背面図。
【図６】経机を内部から取り出し、経机用収納箱の上に載置した状態の正面図。
【図７】経机を経机用収納箱の上に載置して使用可能となった状態の斜視図。
【符号の説明】
【００１８】
１０…経机用収納箱
１１…横桟
１２…飾り窓
１３…紋飾り
１４…蓋
１５…脚
１６…縁
２０…経机
３０…椅子
【図１】
0003120368.tif 000003
【図２】
0003120368.tif 000004
【図３】
0003120368.tif 000005
【図４】
0003120368.tif 000006
【図５】
0003120368.tif 000007
【図６】
0003120368.tif 000008
【図７】
0003120368.tif 000009